(57)【要約】【課題】節電モード時の消費電力を更に低減させたディスプレイ装置および節電制御装置を提供することを目的とする。【解決手段】コンピュータ本体２００に接続されて画像表示を行うディスプレイ装置１００において、このディスプレイ装置１００に電源を供給する電源供給部１１０と、コンピュータ本体２００から供給される画像信号に基づき画像表示を行う表示部１２０と、画像信号に含まれる同期信号に基づいて、電源供給部１１０がオン状態にある通電モードと、電源供給部１１０がオフ状態にある節電モードとの切換えを制御する節電制御部１３０と、コンピュータ本体２００から供給される同期信号の電力を蓄えて、節電制御部１３０をオン状態に復帰させる蓄電部１４０とを備えた。【選択図】  図２
2004163455.tif 000002
【特許請求の範囲】
【請求項１】
画像信号に基づき画像表示を行う表示部と、
ディスプレイ装置に電源を供給する電源供給部と、
前記画像信号に含まれる同期信号に基づいて、前記電源供給部が電源を供給している通電モードと、該電源供給部が電源の供給を停止している節電モードとの切換を制御する節電制御部と、
前記同期信号の電力を蓄えて、前記節電制御部を通電状態に復帰させる蓄電部と、
を備えたことを特徴とするディスプレイ装置。
【請求項２】
前記節電制御部は、
通電状態に復帰した場合に、前記蓄電部における前記同期信号による蓄電を停止させること、
を特徴とする請求項１記載のディスプレイ装置。
【請求項３】
画像信号に基づき画像表示を行う表示部と、電源を供給する電源供給部と、を有するディスプレイ装置に用いられる節電制御装置であって、
前記画像信号に含まれる同期信号に基づいて、前記電源供給部の動作状態の切換えを制御する節電制御部と、
前記同期信号の電力を蓄えて、前記節電制御部を通電状態に復帰させる蓄電部とを備えたことを特徴とする節電制御装置。
【請求項４】
前記節電制御部は、
通電状態に復帰した場合に、前記蓄電部における前記同期信号による蓄電を停止させること、
を特徴とする請求項３記載の節電制御装置。
【発明の詳細な説明】
【０００１】
【発明の属する技術分野】
本発明は、コンピュータ本体に接続されて画像表示を行うディスプレイ装置および節電制御装置に関する。
【０００２】
【従来の技術】
従来、コンピュータ本体に接続されて画像表示を行うディスプレイ装置において、ディスプレイ装置の電源が投入されてから所定時間経過後もコンピュータが使用されなかった場合に、ディスプレイ装置を消費電力の少ない節電モードに移行させることにより省電力化を図ったディスプレイ装置が実用化されている。
【０００３】
従来のディスプレイ装置としては、コンピュータ本体から送られてくる同期信号に基づきフォトカプラまたはリレーを駆動して省電力移行判定装置により電源回路を停止させる例が紹介されている。（例えば、特許文献１参照）。
【０００４】
また、コンピュータ本体から送られてくる同期信号の有無を検出して電源一次平滑回路への供給電圧を遮断する例が紹介されている。（例えば、特許文献２参照）。
【０００５】
【特許文献１】
特開平７−２１９６８７号公報（第６〜７頁、第１図）
【特許文献２】
特開平８−２８９１６８号公報（第５〜６頁、第２図）
【０００６】
【発明が解決しようとする課題】
しかし、上記特許文献１の場合には、節電モード時にもコンピュータ本体からの通電モードへの復帰信号を監視していなければならないので、省電力移行判定装置は節電モード時でも監視動作を続けるための電力が必要とし、消費電力はゼロにはならない。
【０００７】
また、上記特許文献２の場合にも、同期信号の有無を検出する回路を動作させ続けるための電力は節電モード時でも必要である。
【０００８】
このように、従来の省電力型のディスプレイ装置、または節電制御装置は、コンピュータ本体からの復帰信号を検出して通電モードへの復帰動作を行うために、マイクロコンピュータなどを用いた制御手段を必要とし、そのため、節電モード時においても通常５Ｗ〜３Ｗ程度の電力を消費するというものが普通であり、最近の環境保全および資源保護の観点から、節電時の消費電力をさらに低減させようという気運が世界的にも高まりつつある。
【０００９】
本発明は、上記事情に鑑み、節電モード時の消費電力を更に低減させたディスプレイ装置を提供することを目的とする。
【００１０】
【課題を解決するための手段】
上記目的を達成する本発明のディスプレイ装置は、
画像信号に基づき画像表示を行う表示部と、
ディスプレイ装置に電源を供給する電源供給部と、
上記画像信号に含まれる同期信号に基づいて、上記電源供給部が電源を供給している通電モードと、上記電源供給部が電源の供給を停止している節電モードとの切換を制御する節電制御部と、
上記同期信号の電力を蓄えて、上記節電制御部を通電状態に復帰させる蓄電部と、
を備えたことを特徴とする。
【００１１】
本発明のディスプレイ装置によれば、ディスプレイ装置に備えられた蓄電部が、動作復帰時にコンピュータ本体から供給される同期信号の電力を蓄え、その電力で節電制御部を通電状態に復帰させるので、節電モード時には、節電制御部も含めてオフ状態とすることができ、ディスプレイ装置の消費電力をゼロとすることができる。
【００１２】
ここで、
上記節電制御部は、
通電状態に復帰した場合に、上記蓄電部における上記同期信号による蓄電を停止させるものであることが好ましい。
【００１３】
本発明のディスプレイ装置をこのように構成した場合は、通電状態では不要な、蓄電部の充電が遮断されるので、同期信号を本来の画像表示の用途にすべて用いることができる。
【００１４】
また、上記目的を達成する本発明の節電制御装置は、
画像信号に基づき画像表示を行う表示部と、電源を供給する電源供給部と、を有するディスプレイ装置に用いられる節電制御装置であって、
上記画像信号に含まれる同期信号に基づいて、上記電源供給部の動作状態の切換えを制御する節電制御部と、
上記同期信号の電力を蓄えて、上記節電制御部を通電状態に復帰させる蓄電部とを備えたことを特徴とする。
【００１５】
本発明の節電制御装置によれば、節電制御装置に備えられた蓄電部が、動作復帰時にコンピュータ本体から供給される同期信号の電力を蓄え、その電力で節電制御部を通電状態に復帰させるので、節電モード時には、節電制御部も含めてオフ状態とすることができ、ディスプレイ装置の消費電力をゼロとすることができる。
【００１６】
ここで、
上記節電制御部は、
通電状態に復帰した場合に、上記蓄電部における上記同期信号による蓄電を停止させるものであることが好ましい。
【００１７】
本発明の節電制御装置をこのように構成した場合は、通電状態では不要な、蓄電部の充電が遮断されるので、同期信号を本来の画像表示の用途にすべて用いることができる。
【００１８】
【発明の実施の形態】
以下、本発明の実施形態について説明する。
【００１９】
図１は、本発明の一実施形態のディスプレイ装置が接続されたコンピュータシステムの概要図である。
【００２０】
図１に示すように、このディスプレイ装置１００は、ディスプレイケーブル１０１によりコンピュータ本体２００に接続されて画像表示を行うものであり、交流電源ケーブル１０２を介して交流電源が供給される。
【００２１】
ディスプレイケーブル１０１は、ＲＧＢ信号（映像信号）およびＨＳ，ＶＳ信号（水平同期信号および垂直同期信号）をコンピュータ本体２００からディスプレイ装置１００を供給する。
【００２２】
コンピュータ本体２００には、ディスプレイ装置１００の他に、操作者による指示をコンピュータ本体２００に伝えるためのキーボード２０１およびマウス２０２などが接続されている。コンピュータ本体２００には交流電源ケーブル２０３を介して交流電源が供給される。
【００２３】
図２は、本発明のディスプレイ装置の一実施形態を示す概略構成図である。
【００２４】
図２に示すように、このディスプレイ装置１００は、コンピュータ本体２００に接続されて画像表示を行うディスプレイ装置であって、電源供給部１１０と、表示部１２０と、節電制御部１３０と、電解コンデンサ１４０とを備えている。
【００２５】
電源供給部１１０は、ディスプレイ装置１００に電源を供給するものであり、表示部１２０は、コンピュータ本体２００から供給されるＲＧＢ信号およびＨＳ，ＶＳ信号からなる画像信号に基づき画像表示を行うものであり、節電制御部１３０は、上記画像信号に含まれる同期信号に基づいて、電源供給部１１０がオン状態にある通電モードと、電源供給部１１０がオフ状態にある節電モードとの切換えを制御するものであり、電解コンデンサ１４０は、コンピュータ本体２００から供給される同期信号（ＨＳ，ＶＳ）の電力を蓄えて、少なくとも節電制御部１３０をオン状態に復帰させるものである。
【００２６】
なお、本実施形態における電解コンデンサ１４０は、本発明における蓄電部の一例に相当するものであるが、本発明の蓄電部は電解コンデンサのみに限られるものではなく、同期信号の電力を蓄えることのできるものであればどのようなものでもよい。
【００２７】
図３は、本実施形態のディスプレイ装置の電源回路図である。
【００２８】
図３に示すように、このディスプレイ装置１００は、コンピュータ本体２００に接続されて画像表示を行うディスプレイ装置であって、電源供給部１１０と、表示部１２０と、節電制御部１３０と、電解コンデンサ１４０とを備えている。
【００２９】
電源供給部１１０は、ディスプレイ装置１００の表示部１２０および節電制御回路１３０に電源を供給するものであり、整流・平滑回路１１２、外部電源スイッチ１１３、電源ＩＣ（Ｉｎｔｅｇｒａｔｅｄ  Ｃｉｒｃｕｉｔ）１１４、電源ＦＥＴ（Ｆｉｅｌｄ  Ｅｆｆｅｃｔ  Ｔｒａｎｓｉｓｔｏｒ）１１５、電源トランス１１６、スナバ回路１１７などからなる。
【００３０】
表示部１２０は、コンピュータ本体２００から供給される画像信号に基づき画像表示を行うものであり、ＣＲＴ（Ｃａｔｈｏｄｅ  Ｒａｙ  Ｔｕｂｅ：陰極線管）、液晶表示パネル、またはプラズマディスプレイパネルなどの画像表示装置、およびその駆動装置などからなる。
【００３１】
節電制御部１３０は、コンピュータ本体２００から供給される画像信号に含まれる同期信号に基づいて、電源供給部１１０がオン状態にある通電モードと、電源供給部１１０がオフ状態にある節電モードとの切換えを制御するものであり、第１のリレー１３１、第２のリレー１３２、マイクロコンピュータ１３３、第１のトランジスタ１３４、第２のトランジスタ１３５、第３のトランジスタ１３６などからなる。
【００３２】
第１のリレー１３１および第２のリレー１３２には、それぞれコイル部１３１ａ，１３２ａおよびスイッチ部１３１ｂ，１３２ｂが設けられている。
【００３３】
第１のリレー１３１は、コイル部１３１ａに電流が流れていない時にはスイッチ部１３１ｂは２側、すなわち非導通状態となり、電流が流れている時にはスイッチ部１３１ｂは１側、すなわち導通状態となるように設定されている。
【００３４】
第２のリレー１３２は、コイル部１３２ａに電流が流れていない時にはスイッチ部１３２ｂは１側、すなわち導通状態となり、電流が流れている時にはスイッチ部１３２ｂは２側、すなわち非導通状態となるように設定されている。
【００３５】
なお、本実施形態では、この部分に上記のようにリレーを用いているが、上記のリレーと同等の機能を持つ他素子を用いてもよい。
【００３６】
電解コンデンサ１４０は、コンピュータ本体２００から供給される同期信号の電力を蓄えて、節電制御部１３０をオン状態に復帰させるものである。
【００３７】
以下に、このディスプレイ装置１００の動作について説明する。
【００３８】
通常、このディスプレイ装置１００では、通電モード時に、コンピュータ本体２００の使用が一時中断され、コンピュータ本体からディスプレイ装置に同期信号が送られなくなった場合に節電モードに移行するが、その際、通電モードに移行する可能性のある場合には外部電源スイッチ１１３はオンの状態のままにしておくように運用される。
【００３９】
先ず、このディスプレイ装置１００の通電モード時の状態について説明する。
【００４０】
図４は、本実施形態のディスプレイ装置の通電モード時の状態を示す図である。
【００４１】
図４に示すように、通電モードにおいては、電源供給部１１０がオンの状態となっているので、電源トランス１１６の２次コイルＡから７Ｖの電圧がマイクロコンピュータ１３３の端子１３３ｄに入力され、マイクロコンピュータ１３３は動作状態となっている。動作状態にあるマイクロコンピュータ１３３の端子１３３ｂからは制御信号ＰＣＯＮＴ１が出力され、制御信号ＰＣＯＮＴ１により第１のトランジスタ１３４はオン状態となり、第２のリレー１３２の第２のリレー１３２ａには電源トランス１１６の２次コイルＢからの電流が流れるため、スイッチ部１３２ｂは２側、すなわち非導通状態となる。
【００４２】
その結果、コンピュータ本体２００から第２のリレー１３２を経由する電解コンデンサ１４０への同期信号の供給ルートは遮断されている。
【００４３】
この状態は、コンピュータ本体２００から同期信号が送出されている限り維持され、通電モードが継続する。
【００４４】
なお、本実施形態の節電制御部１３０は、オン状態に復帰した時に、蓄電部（電解コンデンサ１４０）による同期信号の蓄電を停止させるように構成されているが、必ずしもこのように構成しなければならないわけではなく、オン状態に復帰した後も蓄電を継続するように構成しても差し支えはないが、オン状態では、蓄電部の充電のための回路は遮断する方が、同期信号を本来の画像表示の用途にすべて用いることができるので望ましい。
【００４５】
次に、通電モードから節電モードへの移行について説明する。
【００４６】
図５は、本実施形態のディスプレイ装置が通電モードから節電モードに移行した後の状態を示す図である。
【００４７】
マイクロコンピュータ１３３は、コンピュータ本体２００から送られてくる同期信号の端子１３３ａへの入力が継続しているか否かを絶えず検知しており、端子１３３ａへの同期信号の入力が検知されなくなると、端子１３３ｃからの制御信号ＰＣＯＮＴ２の出力レベルをＨＩＧＨ（＋５Ｖ）とすることにより、トランジスタ１３５をオン状態にする。
【００４８】
その結果、トランジスタ１３６のベース電圧は０Ｖとなるので、トランジスタ１３６はオフ状態となり、第１のリレー１３１のコイル部１３１ａへの電流が遮断され、スイッチ部１３１ｂは２側、すなわち非導通状態となる。
【００４９】
従って、電源ＩＣ１１４には整流・平滑回路１１２、外部電源スイッチ１１３からの電流が供給されず、電源供給部１１０はオフ状態となり、そのため、電源供給部１１０から節電制御部１３０への電流の供給もなくなり、表示部１２０も節電制御部１３０も完全な休止状態になるので、このディスプレイ装置１００の消費電力はゼロとなる。
【００５０】
また、電源供給部１１０がオフ状態となるため、電源トランス１１６の２次コイルＢから第２のリレー１３２のコイル部１３２ａへの電流供給が停止し、スイッチ部１３２ｂは１側、すなわち導通状態となる。
【００５１】
次に、本実施形態のディスプレイ装置が節電モードから通電モードに復帰する際の動作について説明する。
【００５２】
図６は、本実施形態のディスプレイ装置が節電モードから通電モードに復帰する際の各部の動作を示す図である。
【００５３】
本実施形態のディスプレイ装置１００は、コンピュータ本体２００から送出された通常５Ｖの同期信号（ＨＳ，ＶＳ）を受け取ることにより節電モードから通電モードに復帰するように構成されている。すなわち、図６に示すように、コンピュータ本体２００から送出された同期信号（ＨＳ，ＶＳ）が、節電制御部１３０のリレー１３２に入力されることにより、通電モードへの復帰動作が開始される。
【００５４】
この時点では、電源供給部１１０はオフ状態となっているので、電源供給部１１０からリレー１３２のコイル部１３２ａへの電流の供給はない。前述のように、リレー１３２のコイル部１３２ａに電流が流れていない時にはスイッチ部１３２ｂは１側、すなわち導通状態となっているので、コンピュータ本体２００から送られてきた同期信号はリレー１３２を通って電解コンデンサ１４０に充電される。
【００５５】
電解コンデンサ１４０に同期信号の電流が充電されて、電解コンデンサ１４０の電圧が上昇し、第３のトランジスタ１３６のベース電圧が０．７Ｖ以上に達すると第３のトランジスタ１３６はオンとなり、その結果、電解コンデンサ１４０に充電されていた電流が第１のリレー１３１のコイル部１３１ａに流れるので、スイッチ部１３１ｂは１側、すなわち導通状態となる。
【００５６】
その結果、整流・平滑回路１１２、外部電源スイッチ１１３からの電圧が第１のリレー１３１を通過して電源ＩＣ１１４のＶＣＣに印加され、電源ＩＣ１１４のＯＵＴから波形が出力され、その出力により電源ＦＥＴ１１５が発振し、電源トランス１１６が動作して電源供給部１１０はオン状態となる。
【００５７】
なお、電解コンデンサ１４０に充電される電力の量は、リレー１３１を約１〜２秒程度導通状態に保持できる量で充分である。
【００５８】
こうして、電源供給部１１０がオン状態となると、電源トランス１１６の２次側の各コイルから、例えば、７Ｖ、１２Ｖ、その他の各電圧が表示部１２０に供給され、表示部１２０から画像が表示されるようになる。
【００５９】
ここで、電源トランス１１６の２次コイルＡから出力され整流された＋７Ｖの電圧が、節電制御部１３０の電解コンデンサ１４０に充電されるので、電解コンデンサ１４０の電圧によって第３のトランジスタ１３６のオン状態及びリレー１３１の導通状態はそのまま保持され、通電モードが継続される。
【００６０】
次に、本発明の節電制御装置の実施形態について説明する。
【００６１】
図７は、本発明の節電制御装置の一実施形態を示す概略構成図である。
【００６２】
図７に示すように、この節電制御装置３００は、コンピュータ本体２００から供給される画像信号に基づき画像表示を行う表示部３２０と、電源を供給する電源供給部３１０とを有するディスプレイ装置３００に用いられ、電源供給部３１０がオン状態にある通電モードと、電源供給部３１０がオフ状態にある節電モードとの切換えを制御する節電制御装置３３０において、画像信号に含まれる同期信号に基づいて通電モードと節電モードとの切換えを制御する節電制御部３４０と、同期信号の電力を蓄えて、少なくとも節電制御部３４０をオン状態に復帰させる蓄電部３５０とを備えている。
【００６３】
この実施形態の節電制御装置３００における節電制御部３４０と蓄電部３５０の構成および作用効果は、図２〜図６を参照して説明したディスプレイ装置１００における節電制御部１３０および蓄電部（電解コンデンサ１４０）の構成および作用効果と同様であるので詳細な説明は省略する。
【００６４】
【発明の効果】
以上説明したように、本発明のディスプレイ装置によれば、コンピュータ本体から供給される画像信号に含まれる同期信号に基づいて、通電モードと節電モードとの切換えを制御する節電制御部と、コンピュータ本体から供給される同期信号の電力を蓄えて、節電制御部をオン状態に復帰させる蓄電部とを備えたことにより、節電モード時の消費電力を更に低減させたディスプレイ装置を実現することができる。
【００６５】
また、本発明のディスプレイ装置の節電制御部を、オン状態に復帰した時に、蓄電部による同期信号の蓄電を停止させるものとして構成した場合は、オン状態では不要な、蓄電部の充電のための回路は遮断されるので節電制御部などの誤動作を未然に防止することができる。
【００６６】
また、本発明の節電制御装置によれば、コンピュータ本体から供給される画像信号に含まれる同期信号に基づいて、ディスプレイ装置における、通電モードと節電モードとの切換えを制御する節電制御部と、コンピュータ本体から供給される同期信号の電力を蓄えて、節電制御部をオン状態に復帰させる蓄電部とを備えたことにより、節電モード時の消費電力を更に低減させるよう制御する節電制御装置を実現することができる。
【図面の簡単な説明】
【図１】本発明の一実施形態のディスプレイ装置が接続されたコンピュータシステムの概要図である。
【図２】本発明のディスプレイ装置の一実施形態を示す概略構成図である。
【図３】本実施形態のディスプレイ装置の電源回路図である。
【図４】本実施形態のディスプレイ装置の通電モード時の状態を示す図である。
【図５】本実施形態のディスプレイ装置が通電モードから節電モードに移行した後の状態を示す図である。
【図６】本実施形態のディスプレイ装置が節電モードから通電モードに復帰する際の各部の動作を示す図である。
【図７】本発明の節電制御装置の一実施形態を示す概略構成図である。
【符号の説明】
１００    ディスプレイ装置
１０１    ディスプレイケーブル
１０２    交流電源ケーブル
１１０    電源供給部
１１２    整流・平滑回路
１１３    外部電源スイッチ
１１４    電源ＩＣ
１１５    電源ＦＥＴ
１１６    電源トランス
１１７    スナバ回路
１２０    表示部
１３０    節電制御部
１３１，１３２    リレー
１３１ａ，１３２ａ    コイル部
１３１ｂ，１３２ｂ    スイッチ部
１３３    マイクロコンピュータ
１３３ａ，１３３ｂ，１３３ｃ，１３３ｄ    端子
１３４，１３５，１３６    トランジスタ
１４０    電解コンデンサ
２００    コンピュータ本体
２０１    キーボード
２０２    マウス
２０３    交流電源ケーブル
３００    節電制御装置
３１０    電源供給部
３２０    表示部
３３０    節電制御装置
３４０    節電制御部
３５０    蓄電部
【図１】
2004163455.tif 000003
【図２】
2004163455.tif 000004
【図３】
2004163455.tif 000005
【図４】
2004163455.tif 000006
【図５】
2004163455.tif 000007
【図６】
2004163455.tif 000008
【図７】
2004163455.tif 000009